(57)【要約】  【課題】  ユーザが写真プリントをただ見るだけでなく写真プリントの撮影時を振り返って音情報も楽しめるようにすること。  【解決手段】  プリント注文を受け付けると（Ｓ１、Ｓ２）、プリント注文を受け付けたユーザの画像２８およびアクセス情報２７を同一用紙に記録した写真プリント２６が作成されて（Ｓ４、Ｓ５）、ユーザに渡される。一方で、音情報がその音情報の位置や日時と関連付けられて所定のデータベースに登録される（Ｓ６）。その後、写真プリント上のアクセス情報を携帯電話３０に読み取らせると（Ｓ７）、携帯電話３０がサービスサーバ１０にアクセスし（Ｓ８）、印刷された画像に付加されていた位置情報または日時情報に関連する音情報が検索されて（Ｓ９）、携帯電話３０に配信される（Ｓ１０）。例えば、撮影場所やプリント注文場所などのそのご当地の音情報、撮影時のニュース音声やヒット曲などが、携帯電話３０に配信される。【選択図】  図４
2005222447.tif 000002
【特許請求の範囲】
【請求項１】
ユーザ端末機とネットワークを介して通信を行い、プリント注文を受け付けたユーザの画像に関連する音情報を該ユーザ端末機に配信するサービスサーバにおいて、
ユーザ端末機に配信する音情報を該音情報の位置情報に関連付けて管理するデータベースと、
前記音情報をユーザ端末機からネットワークを介して取得するためのアクセス情報を、前記ユーザの画像とともにプリンタに送信して、これらのアクセス情報および画像を同一のプリント媒体に記録させるプリント指示手段と、
ユーザ端末機から前記プリント媒体に記録されているアクセス情報を用いてアクセスされたとき、該プリント媒体上の画像に付加されていた位置情報と対応する位置情報が関連付けられた音情報を該ユーザ端末機に配信する配信手段と、
を備えたことを特徴とするサービスサーバ。
【請求項２】
前記画像は、該画像の撮影場所を示す位置情報が付加された状態でプリント注文を受け付けた位置情報付き画像であり、
前記配信手段は、前記撮影場所と対応する位置情報が関連付けられた音情報をユーザ端末機に配信することを特徴とする請求項１に記載のサービスサーバ。
【請求項３】
前記画像は、該画像のプリント注文場所を示す位置情報が付加された位置情報付き画像であり、
前記配信手段は、前記プリント注文場所と対応する位置情報が関連付けられた音情報をユーザ端末機に配信することを特徴とする請求項１に記載のサービスサーバ。
【請求項４】
ユーザ端末機とネットワークを介して通信を行い、プリント注文を受け付けたユーザの画像に関連する音情報を該ユーザ端末機に配信するサービスサーバにおいて、
ユーザ端末機に配信する音情報を該音情報の日時情報に関連付けて管理するデータベースと、
前記音情報をユーザ端末機からネットワークを介して取得するためのアクセス情報を、前記ユーザの画像とともにプリンタに送信して、これらのアクセス情報および画像を同一のプリント媒体に記録させるプリント指示手段と、
ユーザ端末機から前記プリント媒体に記録されているアクセス情報を用いてアクセスされたとき、該プリント媒体上の画像に付加されていた日時情報と対応する日時情報が関連付けられた音情報を該ユーザ端末機に配信する配信手段と、
を備えたことを特徴とするサービスサーバ。
【請求項５】
前記画像は、該画像の撮影日時を示す日時情報が付加された状態でプリント注文を受け付けた日時情報付き画像であり、
前記配信手段は、前記撮影日時と対応する日時情報が関連付けられた音情報をユーザ端末機に配信することを特徴とする請求項４に記載のサービスサーバ。
【請求項６】
前記プリント注文を受け付けた画像に関連するニュース音声または音楽を前記音情報としてユーザ端末機に配信することを特徴とする請求項１ないし５のいずれかに記載のサービスサーバ。
【請求項７】
プリント注文を受け付けたユーザの画像を取得するステップと、
ユーザ端末機に配信する音情報を該音情報の位置情報に関連付けて所定のデータベースに管理させるステップと、
前記音情報をユーザ端末機からネットワークを介して取得するためのアクセス情報を、前記ユーザの画像とともにプリンタに送信して、これらの画像およびアクセス情報を同一のプリント媒体に記録させるステップと、
ユーザ端末機から前記プリント媒体に記録されているアクセス情報を用いてアクセスされたとき、該プリント媒体上の画像に付加されていた位置情報と対応する位置情報が関連付けられた音情報を該ユーザ端末機に配信するステップと、
を含むことを特徴とするプリントサービス方法。
【請求項８】
プリント注文を受け付けたユーザの画像を取得するステップと、
ユーザ端末機に配信する音情報を該音情報の日時情報に関連付けて所定のデータベースに管理させるステップと、
前記音情報をユーザ端末機からネットワークを介して取得するためのアクセス情報を、前記ユーザの画像とともにプリンタに送信して、これらの画像およびアクセス情報を同一のプリント媒体に記録させるステップと、
ユーザ端末機から前記プリント媒体に記録されているアクセス情報を用いてアクセスされたとき、該プリント媒体上の画像に付加されていた日時情報と対応する日時情報が関連付けられた音情報を該ユーザ端末機に配信するステップと、
を含むことを特徴とするプリントサービス方法。
【発明の詳細な説明】
【技術分野】
【０００１】
本発明はサービスサーバおよびプリントサービス方法に係り、特に、プリント注文を受け付けたユーザの画像に関連する音情報を、携帯電話等のユーザ端末機にネットワークを介して配信するサービスサーバおよびプリントサービス方法に関する。
【背景技術】
【０００２】
プリント注文を受け付けたユーザの画像を所定の用紙に印刷して写真プリントを作成するプリントサービスは、現在、広く利用されており、また、用紙に印刷された直後の画像の画質だけでなく、長期間にわたる画質の持続性についても向上が図られてきた。
【０００３】
一方で、携帯電話の技術の進歩と一般ユーザへの普及に伴って、携帯電話を用いた様々なサービスが提案されている。例えば、広告情報提供システムにおいて、携帯電話にバーコードを読み取らせると、携帯電話がバーコードをデコードしてインターネットを介してサーバにアクセスし、アクセス時の携帯電話の位置または日時に基づいて、サーバがデータベース内の広告情報を検索して携帯電話に配信するようにしたものが提案されている（特許文献１を参照）。
【特許文献１】特開２００２−７２９４２号公報
【発明の開示】
【発明が解決しようとする課題】
【０００４】
印刷品質の良い写真プリントは見て心地のよいものであるが、写真プリントをただ見るだけで終わってしまえば、面白みに欠ける。逆に、写真プリントを見るだけで終わることなく、もっと別な楽しみ方ができれば愉快である。
【０００５】
一般に、ユーザは、撮影時にどこかを旅行をしていたとか、撮影時に友人と一緒に楽しんでいたとか、様々な思い出があり、そのような思い出を写真プリントを見ることにより思い起こすことになるが、従来は、写真プリントをただ見るだけの楽しみしかなかった。
【０００６】
なお、特許文献１に記載されたものは、携帯電話からアクセスしたそのアクセス時の位置や日時に基づいて広告情報を検索して配信するようになっており、過去のユーザの思い出とは何ら関連のない情報が携帯電話に配信されてくる。
【０００７】
本発明はこのような事情に鑑みてなされたもので、ユーザが写真プリントをただ見て楽しむだけでなく写真プリントの撮影時を振り返って音情報も楽しめるようにすることができるサービスサーバおよびプリントサービス方法を提供することを目的とする。
【課題を解決するための手段】
【０００８】
前記目的を達成するために、請求項１に記載の発明は、ユーザ端末機とネットワークを介して通信を行い、プリント注文を受け付けたユーザの画像に関連する音情報を該ユーザ端末機に配信するサービスサーバにおいて、ユーザ端末機に配信する音情報を該音情報の位置情報に関連付けて管理するデータベースと、前記音情報をユーザ端末機からネットワークを介して取得するためのアクセス情報を、前記ユーザの画像とともにプリンタに送信して、これらのアクセス情報および画像を同一のプリント媒体に記録させるプリント指示手段と、ユーザ端末機から前記プリント媒体に記録されているアクセス情報を用いてアクセスされたとき、該プリント媒体上の画像に付加されていた位置情報と対応する位置情報が関連付けられた音情報を該ユーザ端末機に配信する配信手段を備えた構成となっている。
【０００９】
この構成によって、プリント媒体に画像とともに記録されているアクセス情報を用いてユーザ端末機からアクセスしたとき、該プリント媒体上の画像に付加されていた位置情報と対応する位置情報が関連付けられた音情報がユーザ端末機に配信されてくるので、ユーザは写真プリントをただ見て楽しむだけでなく写真プリントの撮影時を振り返って音情報もユーザ端末機で再生させて楽しむことができる。
【００１０】
請求項２に記載の発明は、請求項１に記載の発明において、前記画像は、該画像の撮影場所を示す位置情報が付加された状態でプリント注文を受け付けた位置情報付き画像であり、前記配信手段は、前記撮影場所と対応する位置情報が関連付けられた音情報をユーザ端末機に配信する構成となっている。
【００１１】
この構成によって、ユーザは画像の撮影場所と対応する音情報をユーザ端末機で楽しむことができる。
【００１２】
請求項３に記載の発明は、請求項１に記載の発明において、前記画像は、該画像のプリント注文場所を示す位置情報が付加された位置情報付き画像であり、前記配信手段は、前記プリント注文場所と対応する位置情報が関連付けられた音情報をユーザ端末機に配信する構成となっている。
【００１３】
この構成によって、ユーザは画像のプリント注文場所と対応する音情報をユーザ端末機で楽しむことができる。また、プリント注文を受け付ける写真店等は、その写真店独自の音情報をユーザに提供して他の写真店等との差別化を図ることができる。
【００１４】
請求項４に記載の発明は、ユーザ端末機とネットワークを介して通信を行い、プリント注文を受け付けたユーザの画像に関連する音情報を該ユーザ端末機に配信するサービスサーバにおいて、ユーザ端末機に配信する音情報を該音情報の日時情報に関連付けて管理するデータベースと、前記音情報をユーザ端末機からネットワークを介して取得するためのアクセス情報を、前記ユーザの画像とともにプリンタに送信して、これらのアクセス情報および画像を同一のプリント媒体に記録させるプリント指示手段と、ユーザ端末機から前記プリント媒体に記録されているアクセス情報を用いてアクセスされたとき、該プリント媒体上の画像に付加されていた日時情報と対応する日時情報が関連付けられた音情報を該ユーザ端末機に配信する配信手段を備えた構成となっている。
【００１５】
この構成によって、プリント媒体に画像とともに記録されているアクセス情報を用いてユーザ端末機からアクセスしたとき、該プリント媒体上の画像に付加されていた日時情報と対応する日時情報が関連付けられた音情報がユーザ端末機に配信されてくるので、ユーザは写真プリントをただ見て楽しむだけでなく写真プリントの撮影時を振り返って音情報もユーザ端末機で再生させて楽しむことができる。
【００１６】
請求項５に記載の発明は、請求項４に記載の発明において、前記画像は、該画像の撮影日時を示す日時情報が付加された状態でプリント注文を受け付けた日時情報付き画像であり、前記配信手段は、前記撮影日時と対応する日時情報が関連付けられた音情報をユーザ端末機に配信する構成となっている。
【００１７】
この構成によって、ユーザは画像の撮影日時と対応する音情報をユーザ端末機で楽しむことができる。
【００１８】
請求項６に記載の発明は、請求項１ないし５のいずれかに記載の発明において、前記プリント注文を受け付けた画像に関連するニュース音声または音楽を前記音情報としてユーザ端末機に配信する構成となっている。
【００１９】
請求項７に記載の発明は、プリント注文を受け付けたユーザの画像を取得するステップと、ユーザ端末機に配信する音情報を該音情報の位置情報に関連付けて所定のデータベースに管理させるステップと、前記音情報をユーザ端末機からネットワークを介して取得するためのアクセス情報を、前記ユーザの画像とともにプリンタに送信して、これらの画像およびアクセス情報を同一のプリント媒体に記録させるステップと、ユーザ端末機から前記プリント媒体に記録されているアクセス情報を用いてアクセスされたとき、該プリント媒体上の画像に付加されていた位置情報と対応する位置情報が関連付けられた音情報を該ユーザ端末機に配信するステップを含む構成となっている。
【００２０】
請求項８に記載の発明は、プリント注文を受け付けたユーザの画像を取得するステップと、ユーザ端末機に配信する音情報を該音情報の日時情報に関連付けて所定のデータベースに管理させるステップと、前記音情報をユーザ端末機からネットワークを介して取得するためのアクセス情報を、前記ユーザの画像とともにプリンタに送信して、これらの画像およびアクセス情報を同一のプリント媒体に記録させるステップと、ユーザ端末機から前記プリント媒体に記録されているアクセス情報を用いてアクセスされたとき、該プリント媒体上の画像に付加されていた日時情報と対応する日時情報が関連付けられた音情報を該ユーザ端末機に配信するステップを含む構成となっている。
【発明の効果】
【００２１】
本発明によれば、ユーザは写真プリントをただ見て楽しむだけでなく写真プリントの撮影時を振り返って音情報も楽しむことができる。
【発明を実施するための最良の形態】
【００２２】
以下、添付図面に従って本発明に係るサービスサーバおよびプリントサービス方法を実施するための最良の実施の形態について、詳細に説明する。
【００２３】
図１は、本発明に係る一実施形態のサービスサーバを含むサービスシステムの全体構成図である。
【００２４】
図１において、主として、サービスサーバ１０、プリント装置２０、カメラ付き携帯電話（以下単に「携帯電話」という）３０、注文受付端末４０、および、情報管理端末５０が、それぞれネットワーク６０に接続されて、本実施形態のサービスシステムが構成されている。
【００２５】
サービスサーバ１０は、プリント装置２０、携帯電話３０、注文受付端末４０および情報管理端末５０とネットワーク６０を介して通信し、注文受付端末４０等で受け付けられたユーザのプリント注文に従ってプリント装置２０に写真プリントを作成させる写真プリント作成処理、情報管理端末５０等によって登録された音情報を携帯電話３０に配信する音情報配信処理等、各種サービス処理を行うものである。
【００２６】
プリント装置２０は、プリント注文を受け付けた画像を所定の用紙に印刷して写真プリントを作成する際に、この画像に関連する音情報の取得に必要なアクセス情報をユーザの画像とともに同一の用紙に記録する。なお、プリント装置２０は、図１ではサービスサーバ１０とネットワーク６０を介して接続されているが、このような例に特に限定されず、例えばプリント装置２０とサービスサーバ１０とが一体で形成されていてもよい。
【００２７】
携帯電話３０には、被写体の撮影が可能なカメラ（図示を省略）が設けられており、このカメラは、ＱＲコード（登録商標）等の２次元バーコードの入力にも用いられる。また、携帯電話３０は、カメラにより入力された２次元バーコードをデコードして、デコード内容（アクセス情報を示す）に基づいて、サービスサーバ１０にネットワーク６０を介してアクセスし、サービスサーバ１０からネットワーク６０を介して音情報を取得する。
【００２８】
注文受付端末４０は、主として、ユーザが撮影した画像のプリント注文を受け付けるための端末である。具体的には、第１に、印刷すべきユーザの画像、第２に、印刷態様を指定するプリント指定情報、第３に、ユーザに関するユーザ情報、第４に、携帯電話３０がサービスサーバ１０にアクセスしたときに携帯電話３０に配信する音情報の条件（配信条件）等を、サービスサーバ１０に送信する。
【００２９】
情報管理端末５０は、主として、音情報の登録操作をするための端末である。なお、音情報とともに携帯電話３０に配信する他のコンテンツ、例えば、動画情報やテキスト情報等の登録も可能である。
【００３０】
図２は、サービスサーバ１０の内部構成の例を示すブロック図である。図２において、サービスサーバ１０は、主として、通信部１１、制御部１２、および、各種のデータベース１３、１４、１５、１６、１７、１８を含んで構成される。なお、データベース１３、１４、１５，１６、１７、１８は、サービスサーバ１０の筐体内に含まれている必要はなく、例えば、サービスサーバ１０の遠隔に設置されて、図１のネットワーク６０を介してサービスサーバ１０と接続されていてもよい。
【００３１】
画像・付加情報データベース１３は、プリント注文を受け付けたユーザの画像を管理する。また、ユーザの画像は、位置情報や日時情報等の付加情報が付加された状態で、画像・付加情報データベース１３によって管理される。
【００３２】
なお、画像・付加情報データベース１３で管理されるユーザの画像の取得態様には、以下のような各種の態様がある。
【００３３】
第１に、メモリカード等の記録メディアを介してユーザの画像を取得する態様がある。例えば、ユーザの携帯電話やデジタルスチールカメラ等によって予め画像が記録された記録メディアを、注文受付端末４０の所定のスロットに挿入し、注文受付端末４０が記録メディアから画像を読み込んでサービスサーバ１０に送信する。
【００３４】
第２に、ユーザの携帯電話やデジタルカメラ等と直接通信してユーザの画像を取得する態様がある。例えば、携帯電話内のメモリに予め画像が記録された状態で、注文受付端末４０が携帯電話と直接通信して画像を受信し、サービスサーバ１０に送信する。
【００３５】
第３に、ユーザの携帯電話からネットワーク６０を介してユーザの画像を取得する態様がある。例えば、携帯電話から画像を添付した電子メールをサービスサーバ１０に送信する。
【００３６】
第４に、銀塩カメラによって画像が記録されたフイルムからユーザの画像を読み取って取得する態様がある。
【００３７】
また、付加情報を画像に付加する態様には、以下のような各種の態様がある。
【００３８】
第１に、ユーザの携帯電話で画像に付加情報が付加される態様がある。具体的には、携帯電話がＧＰＳ（Global Positioning System）による位置検出機能を有している場合、撮影時の位置情報（緯度、経度等）を携帯電話が検出して画像に付加する。また、撮影時の日時情報（年月日および時分秒）を携帯電話が画像に付加する。
【００３９】
第２に、注文受付端末４０で画像に付加情報が付加される態様がある。具体的には、注文受付端末４０でプリント注文を受け付けた時の受付場所を示す位置情報を画像に付加する。
【００４０】
また、携帯電話３０と注文受付端末４０の両方で付加情報を付加してもよく、例えば、携帯電話３０で撮影日時を示す日時情報をまず画像に付加し、注文受付端末４０で受付場所を示す位置情報を後付けで画像に付加する。
【００４１】
音情報データベース１４は、携帯電話３０に配信可能な音情報を、各音情報に関係する位置情報および日時情報に関連付けて管理する。
【００４２】
なお、音情報データベース１４への音情報の登録態様には、以下のような各種の態様がある。
【００４３】
第１に、主に管理者が操作する情報管理端末５０から音情報を音情報データベース１４に登録する態様がある。例えば、各年ごとの代表的なヒット曲や、その時々の代表的なニュース音声が登録される。なお、著作権等も考慮して、実質的に携帯電話３０に配信可能な音情報のみ登録される。
【００４４】
第２に、写真店などに設置された注文受付端末４０から音情報を音情報データベース１４に登録する態様がある。具体的には、注文受付端末４０の設置された該当地域に関係するご当地音情報が登録される。例えばその地域内の特定場所でマイクを用いて録音した音や、その地域に関係する音楽等が登録される。
【００４５】
また、実際の音情報を登録される代わりに、ネットワーク６０を介して携帯電話３０がダウンロード可能な音情報のリンク情報（例えばＵＲＬ）を登録してもよい。
【００４６】
また、音情報データベース１４は、音情報とともに携帯電話３０に配信すべき他のコンテンツを音情報と併せて管理可能である。このようなコンテンツとしては、例えば、ニュース音声に関連する動画情報（例えばニュース映像）や、テキスト情報（例えばニュース記事）がある。
【００４７】
ユーザ情報データベース１５は、ユーザ情報を管理する。ここで、ユーザ情報は、プリント注文したユーザや、写真プリントの配送先のユーザに関する情報である。作成した写真プリントを配送する場合には、配送先ユーザの氏名、住所、電話番号等、写真プリントの配送や配送先ユーザとの連絡に必要な情報を含む。
【００４８】
また、ユーザ情報データベース１５は、携帯電話３０に配信する音情報の配信条件をオーダごとに管理する。ここで、配信条件は、画像の付加情報のうちのどの内容を判定対象にして、どのような音情報を配信するか、を示す情報である。例えば、位置情報を判定対象にして撮影場所またはプリント注文場所を含む地域に関係するご当地音情報を配信する、日時情報を判定対象にして撮影日時によって示される年の代表的なヒット曲を配信する、日時情報を判定対象にして撮影日時によって示される撮影日を含む所定期間内の代表的なニュースを配信する、位置情報と日時情報の両方を判定対象にしてご当地のその年の代表的なニュースを配信する、といった各種の配信条件がある。
【００４９】
さらに、ユーザ情報データベース１５は、オーダごとに、アクセス情報、音情報の配信条件、ユーザの画像の付加情報、ユーザの画像の保管満了日、および、音情報の配信期限などを互いに関連付けて管理する。例えば、ユーザの画像の保管満了日は、デフォルトでプリント注文日から２ヶ月までとし、デフォルトより長い期間にわたる保管をユーザが希望する場合には、別途延長料金をユーザに対して課金する。この保管満了日を経過すると、画像・付加情報データベース１３から該当するオーダの画像を削除する。また、例えば、音情報の配信期限は、デフォルトでプリント注文日から２年までとし、デフォルトより長い期間にわたる音情報の配信をユーザが希望する場合には、別途延長料金をユーザに対して課金する。なお、画像の保管満了日を過ぎると画像は削除されるが、付加情報のみ音情報の配信期限まで、ユーザ情報データベース１５でアクセス情報と関連付けてオーダごとに保管するようになっている。ただし、付加情報として、動画像や、音声データなどの容量の比較的大きなデータが付加されている場合には、そのような規定サイズを超える付加情報を除き、位置情報や日時情報などの規定サイズ以下の付加情報のみ保管するようになっている。
【００５０】
課金情報データベース１６は、プリント指定情報や、ユーザに対する課金情報を管理する。ここで、プリント指定情報は、プリント枚数、プリント種等を含む。
【００５１】
地図情報データベース１７は、世界、各国、各地域の地図データを管理する。
【００５２】
カレンダデータベース１８は、現在、過去および未来の年月日および曜日を管理する。
【００５３】
サービスサーバ１０の通信部１１には、ネットワーク６０を介して、注文受付端末４０から、ユーザの画像、プリント指定情報、ユーザ情報、および、音情報等の配信条件が入力される。また、ネットワーク６０を介して、情報管理端末５０や注文受付端末４０から、音情報が入力される。また、ネットワーク６０を介して、プリント装置２０に、ユーザの画像、プリント指定情報、および、アクセス情報を出力する。
【００５４】
また、サービスサーバ１０の通信部１１は、ＨＴＴＰ（Hypertext Transfer Protocol）により携帯電話３０とネットワーク６０を介して通信可能である。通信部１１は、具体的には、携帯電話３０から、ネットワーク６０を介して、アクセス情報が入力されると、この携帯電話３０に、ネットワーク６０を介して、音情報を配信する。また、その音情報とともに携帯電話３０に配信すべき音情報以外のコンテンツがある場合には、そのコンテンツも携帯電話３０に配信する。
【００５５】
サービスサーバ１０の制御部１２は、サービスサーバ１０内の各部を統括制御するものである。
【００５６】
サービスサーバ１０の制御部１２は、注文受付端末４０から入力（アップロード）されたユーザの画像を、画像・付加情報データベース１３に登録する。また、注文受付端末４０から入力されたユーザ情報および音情報の配信条件を、ユーザ情報データベース１５に登録する。また、注文受付端末４０から入力されたプリント指定情報を、課金情報データベース１６に登録する。なお、ユーザの画像、プリント指定情報、ユーザ情報、および、音情報の配信条件は、互いに関連付けられてデータベース１３、１４、１５、１６で管理される。サービスサーバ１０の制御部１２は、このような関連付け制御を行う。例えば、オーダごと（プリント注文ごと）に、フォルダ名またはファイル名の全部または一部をデータベース１３、１４、１５、１６の間で同じ名称にして、ファイル管理を行うように制御する。
【００５７】
また、サービスサーバ１０の制御部１２は、ユーザの画像が入力（アップロード）されたときに、音情報データベース１４に登録されている音情報を携帯電話３０からネットワーク６０を介して取得するためのアクセス情報を発行して、このアクセス情報を、ユーザの画像、プリント指定情報、ユーザ情報、および、音情報の配信条件と、オーダごとに関連付けて、ユーザ情報データベース１５に登録する。
【００５８】
アクセス情報としては、例えば、ＵＲＬ（Uniform Resource Locator）を用いる態様がある。
【００５９】
また、ユーザの画像ごとの付加情報自体または付加情報に相当するデータをアクセス情報とする態様もある。例えば、撮影位置と撮影日時とを組み合わせて形成した文字列をアクセス情報とする。
【００６０】
サービスサーバ１０にアクセスするためのＵＲＬと画像の付加情報とを組み合わせてアクセス情報を形成してもよい。
【００６１】
また、サービスサーバ１０の制御部１２は、ユーザの画像、プリント指定情報、および、アクセス情報を、通信部１１によりプリント装置２０に送信して、アクセス情報が画像と同一の用紙に印刷された写真プリントをプリント装置２０に作成させる。
【００６２】
また、サービスサーバ１０の制御部１２は、携帯電話３０からアクセス情報を用いてアクセスされたとき、まず、アクセス情報に対応する配信条件を特定し、次に、配信条件において判定対象とされている付加情報の内容を特定し、配信条件に合致する音情報を音情報データベース１４から読み出して、この音情報をアクセスした携帯電話３０に対して、通信部１１により配信する。
【００６３】
例えば、アクセス情報に基づいて、写真プリントに印刷された画像の撮影場所を特定し、この撮影場所と対応する位置情報が関連付けられた音情報を携帯電話３０に配信する。すなわち、撮影場所を含む該当地域のご当地音情報が携帯電話３０に配信される。
【００６４】
また、例えば、アクセス情報に基づいて、写真プリントに印刷された画像のプリント注文場所を特定し、このプリント注文場所と対応する位置情報が関連付けられた音情報を携帯電話３０に配信する。すなわち、プリント注文場所を含む該当地域のご当地音情報が携帯電話３０に配信される。
【００６５】
また、例えば、アクセス情報に基づいて、写真プリントに印刷された画像の撮影日時を認識し、この撮影日時と対応する日時情報が関連付けられた音情報を携帯電話３０に配信する。例えば、撮影日の近傍の代表的なニュース音声やヒット曲が携帯電話３０に配信される。
【００６６】
なお、アクセス情報発行の態様のひとつとして、注文受付端末４０の設置場所等によりデータベース１３、１４、１５、１６で管理する情報をグループ化し、各グループごとに独立にアクセス情報を発行する態様がある。具体的には、データベース１３、１４、１５、１６は、ユーザの画像、プリント指定情報、ユーザ情報、配信条件等を、予めグループ識別情報がそれぞれ決められた複数のグループに分類して管理し、制御部１２は、各グループごとに独立にアクセス情報を発行するとともに、携帯電話３０から送信されたグループ識別情報と該グループ識別情報の示すグループ内におけるアクセス情報とに基づいて、該当する音情報を音情報データベース１４から読み出して携帯電話３０に送信する。
【００６７】
また、サービスサーバ１０の制御部１２は、地図データベース１７で管理する地図情報に、ユーザの各画像の位置情報に対応する各地点をマッピングして、画情報として通信部１１により携帯電話３０に送信することが可能になっている。カレンダデータベース１８で管理するカレンダ情報に、ユーザの各画像の日時情報に対応する各時点をマッピングして、画情報として通信部１１により携帯電話３０に配信することも可能になっている。
【００６８】
本発明のサービスサーバの構成要素と図２に例示したサービスサーバ１０の構成要素との対応関係を簡単に説明すると、プリント指示手段は主に制御部１２によって構成され、配信手段は主に通信部１１および制御部１２によって構成されている。
【００６９】
図３には、４つの２次元バーコード２７Ａ、２７Ｂ、２７Ｃ、２７Ｄが四隅にそれぞれ印刷された写真プリント２６が示されている。
【００７０】
これらの４つの２次元バーコード２７Ａ、２７Ｂ、２７Ｃ、２７Ｄには、互いに異なる音情報を取得するためのアクセス情報をそれぞれ埋め込むことができる。例えば、第１の２次元バーコードでアクセスされたときには、位置情報を判定対象にして、ご当地音情報が、携帯電話３０に配信される。また、第２の２次元バーコードでアクセスされたときには、日時情報を判定対象にして、その頃のヒット曲が、携帯電話３０に配信される。また、第３の２次元バーコードでアクセスされたときには、日時情報を判定対象にして、その頃のニュースが、携帯電話３０に配信される。また、第４の２次元バーコードでアクセスされたときには、位置情報と日時情報の両方を判定対象にして、ご当地のその頃のニュースが、携帯電話３０に配信される。
【００７１】
また、例えば、４つの２次元バーコードのうちの２つの２次元バーコードには、音情報を取得するためのアクセス情報を埋め込み、他の２次元バーコードには、広告情報にアクセスさせるアクセス情報や、文字情報（例えば「ハズレ」等の文字コード）を埋め込むことができる。広告にアクセスすると、最初のアクセスのみにポイントを加算する仕組みにし、ユーザにポイント還元する。
【００７２】
これにより、カードの銀剥がしのような感覚で、２次元バーコードを携帯電話３０に読み込ませることができ、２次元バーコードが読み込まれて初めてどのような音情報が出力されるのか分かるという楽しさが得られる。
【００７３】
また、携帯電話３０で撮影された画像のサイズは、百万画素を超えるものがある。一方で、画素数の少ない画像は、画質を維持するために小さく印刷する必要がある。この場合、写真プリントには大きな余白が生じるが、この余白部分に２次元バーコードを印刷することで、余白を有効に利用することができる。なお、余白が大きいほど、大きな２次元バーコードを印刷し、２次元バーコードに多くの情報を埋め込むことができる。
【００７４】
なお、図３の写真プリント２６にはユーザが撮影した画像が印刷されているが、このユーザの画像にフレーム素材等の素材画像を合成して印刷してもよい。例えば、ユーザの旅行先の観光地に関するデザインのフレームと合成して印刷してもよい。
【００７５】
以上説明したサービスシステムにおける具体的なサービスの例の流れについて、図４を用いて説明する。
【００７６】
まず、注文受付端末４０でユーザのプリント注文を受け付ける（Ｓ１）。ここで、ユーザの画像がサービスサーバ１０に入力され、画像・付加情報データベース１３に登録される。例えば、注文受付端末４０が、メモリカード等の記録メディアからユーザの画像を読み込んで、サービスサーバ１０に送信する。その他の取得態様でユーザの画像を取得してもよい。また、画像に位置情報および日時情報を含む付加情報が付加された状態で、画像・付加情報データベース１３に管理される。例えば、携帯電話３０によって、撮影時に撮影位置および撮影日時が検出され、撮影位置を示す位置情報と撮影日時を示す日時情報とが付加情報として画像に付加されて、この付加情報付きの画像が、画像・付加情報データベース１３によって管理される。また、例えば、携帯電話３０によって撮影日時を示す日時情報が付加情報として画像に付加された後に、注文受付端末４０によってプリント注文場所を示す位置情報が付加情報として画像に付加されて、この付加情報付きの画像が、画像・付加情報データベース１３によって管理される。
【００７７】
また、プリント指定情報、ユーザ情報、および、音情報の配信条件が、注文受付端末４０によって取得されて、サービスサーバ１０に送信される（Ｓ２）。
【００７８】
ここで、プリント指定情報は、デフォルトでよい項目についは、取得しない場合もある。例えば、複数の画像のプリント注文を受け付けた場合、全ての画像を１枚ずつ印刷するというデフォルトの指定内容でよければ、特に注文受付端末４０でプリント指定情報を取得する必要はなく、そのデフォルトの指定内容がプリント指定情報として注文受付端末４０からサービスサーバ１０に送信される。
【００７９】
また、ユーザ情報は、必要に応じて取得される。例えば、作成された写真プリントをユーザ指定の配送先に配送する場合には、配送先の住所、氏名等を注文受付端末４０で取得する。写真プリントを即座に作成してプリント注文したユーザにその場で渡すような運用形態では、ユーザ情報を取得しない場合もある。また、写真プリントを即座に作成して渡す運用形態であっても、画像の保管期間満了等に関する連絡を後に電子メールで行うために、ユーザの電子メールアドレスを取得する場合もある。注文受付端末４０で取得されたユーザ情報は、注文受付端末４０からサービスサーバ１０に送信される。
【００８０】
また、配信条件は、デフォルトの配信条件でよければ特に取得しなくてもよい。注文受付端末４０で取得された配信条件、または、デフォルトの配信条件が、注文受付端末４０からサービスサーバ１０に送信される。
【００８１】
なお、画像、プリント指定情報、ユーザ情報および配信条件をひとまとめにして、「オーダ情報」ということもある。
【００８２】
オーダ情報を受信したサービスサーバ１０では、音情報の取得に必要なアクセス情報が発行される（Ｓ３）。ここで、アクセス情報は、ＵＲＬであり、音情報の取得に必要な通信プロトコル、音情報を配信するサービスサーバ１０のドメイン名、および、音情報の配信条件および画像の付加情報の格納場所を特定するための情報、を含む。
【００８３】
なお、図４に示す例では、アクセス情報を発行した時点では、印刷すべき画像に関連する音情報が音情報データベース１４に未登録の状態であり、アクセス情報を発行した後に音情報データベース１４に音情報が登録される。なお、本発明は、このような例に特に限定されるものではなく、音情報データベース１４に予め登録された音情報の取得に必要なアクセス情報が発行される場合もある。
【００８４】
そして、プリント注文を受け付けたユーザの画像、プリント指定情報、および、アクセス情報が、サービスサーバ１０からプリント装置２０に送信される（Ｓ４）。ここで、アクセス情報は、サービスサーバ１０側で２次元バーコードにエンコードしてプリント装置２０に送るようにしてもよいし、プリント装置２０側で２次元バーコードにエンコードしてもよい。
【００８５】
プリント装置２０は、サービスサーバ１０から受信したユーザの画像、プリント指定情報およびアクセス情報に基づいて、写真プリント２６を作成する（Ｓ５）。ここで、サービスサーバ１０から受信したアクセス情報２７がユーザの画像２８とともに同一の用紙に印刷される。作成された写真プリント２６は、プリント注文したユーザにプリント注文を受け付けた場所で直接渡されるか、プリント注文したユーザの指定に従った配送先に配送される。
【００８６】
一方で、音情報が音情報データベース１４に登録される（Ｓ６）。例えば、情報管理端末５０から音情報が登録される。その他の登録態様で音情報を音情報データベース１４に登録してもよい。
【００８７】
そして、アクセス情報付きの写真プリントを所持したユーザは、携帯電話３０をアクセス情報の読取モードにして、携帯電話３０に写真プリント上の２次元バーコードを読み取らせる（Ｓ６）。ここでは、携帯電話３０に付属のカメラによって、写真プリント上の２次元バーコードが入力され、この２次元バーコードが携帯電話３０でデコードされることにより、音情報の取得に必要なＵＲＬが得られる。このＵＲＬには、音情報の取得に必要な通信プロトコル、音情報を配信するサービスサーバ１０のドメイン名、および、配信条件等の格納場所を特定するための情報が含まれている。
【００８８】
読み取られたアクセス情報を使用してアクセスすると（Ｓ８）、サービスサーバ１０は、まず、このアクセス情報と関連付けられている配信条件および付加情報をユーザ情報データベース１５などから取得して、この配信条件に合致する音情報を検索する（Ｓ９）。
【００８９】
配信条件に合致する音情報は、音情報データベース１４から読み出されて、携帯電話３０に送信される（Ｓ１０）。携帯電話３０に配信すべきものとして、音情報以外のコンテンツがある場合には、そのコンテンツも携帯電話３０に送信される。
【００９０】
携帯電話３０では、サービスサーバ１０から送信された音情報が音として出力される（Ｓ１１）、さらに、この音情報とともにサービスサーバ１０から送信されたコンテンツが再生される。
【００９１】
例えば、位置情報を判定対象にして、ご当地の音情報が配信される。また、例えば、日時情報を判定対象にして、その頃のヒット曲が配信される。また、例えば、日時情報を判定対象にその頃のニュースが配信される。また、例えば、位置情報と日時情報の両方を判定対象にして、ご当地のその頃のニュースが配信される。
【００９２】
なお、アクセス情報は、２次元バーコードとして画像の近傍に印刷する場合に限らず、不可視の状態で画像内に埋め込むようにしてもよい。この場合には、画像の中心に埋め込むのが好ましい。
【００９３】
また、アクセス情報は、用紙に形成されたＩＣタグに書き込むようにしてもよい。この場合、プリント装置２０には、ＩＣタグにアクセス情報を書き込むための書込手段を設ける。また、携帯電話３０には、ＩＣタグからアクセス情報を読み込むための読込手段が設けられる。
【００９４】
また、ユーザ端末機は、携帯電話３０に限るものではなく、例えばＰＤＡ（Personal Digital Assistants）であってもよい。
【００９５】
その他、本発明は、図で示した例や実施形態として説明した例に限定されるものではなく、本発明の要旨に従って適宜設計変更や改良を施して実施してよいことはもちろんである。
【図面の簡単な説明】
【００９６】
【図１】本発明に係る一実施形態のサービスサーバを含むサービスシステムの全体構成図
【図２】本発明に係る一実施形態のサービスサーバの内部構成の例を示すブロック図
【図３】アクセス情報の印刷された写真プリントの例を示す図
【図４】プリントサービスの例の処理の流れを示す説明図
【符号の説明】
【００９７】
１０…サービスサーバ、１１…サービスサーバの通信部（配信手段）、１２…サービスサーバの制御部（プリント指示手段、配信手段）、１３…画像・付加情報データベース、１４…音情報データベース、１５…ユーザ情報データベース、１６…課金情報データベース、１７…地図情報データベース、１８…カレンダデータベース、２０…プリント装置、２６…写真プリント、２７…２次元バーコード、２８…画像、３０…携帯電話（ユーザ端末機）、４０…注文受付端末、５０…情報管理端末、６０…ネットワーク
【図１】
2005222447.tif 000003
【図２】
2005222447.tif 000004
【図３】
2005222447.tif 000005
【図４】
2005222447.tif 000006